(57)【要約】      （修正有）【課題】電極の電流収集効果を高め、銀ペーストの使用量を低減させることができる太陽電池構造を提供する。【解決手段】太陽電池構造１００は、基板１０２、バスバー電極１０４、フィンガー電極１０６を含む。基板は、第１表面を有する。バスバー電極は、第１表面に設けられ、かつ、第１方向に沿って配置されている。フィンガー電極は、第１表面に設けられ、かつ、第２方向に沿って複数列電極になるように配置され、それぞれのフィンガー電極は、第一端１０６ａと第二端１０６ｂを有し、かつ、当該列電極における奇数列中のフィンガー電極の第二端と偶数列中のフィンガー電極の第一端とがバスバー電極中の１つに接続され、かつ、列電極の奇数列中のフィンガー電極の第一端と偶数列中の前記フィンガー電極の第二端が幅Ｗを有する。ここで、それぞれの列電極中の第Ｎ個の奇数個目のフィンガー電極が第Ｎ個の偶数個目のフィンガー電極に接続され、かつ、Ｎは１以上の整数である。【選択図】図１
0003194831.tif 000002
【実用新案登録請求の範囲】
【請求項１】
太陽電池構造であって、
基板、複数のバスバー電極、複数のフィンガー電極を含み、
前記基板は、第1表面を有し、
前記複数のバスバー電極は、前記第1表面に設けられ、かつ、第1方向に沿って配置されており、
前記複数のフィンガー電極は、前記第1表面に設けられ、かつ、第2方向に沿って複数列電極になるように配置され、それぞれのフィンガー電極は、第一端と第二端を有し、かつ、当該列電極における奇数列中のフィンガー電極の第二端と偶数列中のフィンガー電極の第一端とが前記バスバー電極中の１つに接続され、かつ、前記列電極の奇数列中の前記フィンガー電極の第一端と偶数列中の前記フィンガー電極の第二端が幅Wを有し、
ここで、それぞれの列電極中の第N個の奇数個目のフィンガー電極が第N個の偶数個目のフィンガー電極に接続され、かつ、Nは1以上の整数である、ことを特徴とする太陽電池構造。
【請求項２】
該第1方向と第2方向は直交する、ことを特徴とする請求項１に記載の太陽電池構造。
【請求項３】
前記列電極の第一個の奇数列中の一部分のフィンガー電極の長さが、前記列電極の第一個の偶数列中のフィンガー電極の何れか1本のフィンガー電極の長さより短い、ことを特徴とする請求項１に記載の太陽電池構造。
【請求項４】
前記列電極中の最後の偶数列の一部分のフィンガー電極の長さが、前記列電極の最後の奇数列中の前記フィンガー電極の何れか1本のフィンガー電極の長さより短い、ことを特徴とする請求項１に記載の太陽電池構造。
【請求項５】
太陽電池構造であって、
基板、複数のバスバー電極、複数のフィンガー電極を含み、
前記基板は、第1表面を有し、
前記複数のバスバー電極は、前記第1表面に設けられ、かつ、第1方向に沿って配置されており、
前記複数のフィンガー電極は、前記第1表面に設けられ、かつ、第2方向に沿って複数列電極になるように配置され、それぞれのフィンガー電極は、第一端と第二端を有し、かつ、当該列電極における奇数列中のフィンガー電極の第二端と偶数列中のフィンガー電極の第一端とが前記バスバー電極中の１つに接続され、かつ、前記列電極の奇数列中の前記フィンガー電極の第一端と偶数列中の前記フィンガー電極の第二端が幅Wを有し、
ここで、第１個の偶数列電極から、最後から第１個目の奇数列電極の中で、列電極中の第N個の奇数個目のフィンガー電極が第N個の偶数個目のフィンガー電極に接続され、かつ、Nは1以上の整数である、ことを特徴とする太陽電池構造。
【請求項６】
該第1方向と第2方向は直交する、ことを特徴とする請求項５に記載の太陽電池構造。
【請求項７】
前記列電極の第一個の奇数列中の一部分のフィンガー電極の長さが、前記列電極の第一個の偶数列中のフィンガー電極の何れか1本のフィンガー電極の長さより短い、ことを特徴とする請求項１に記載の太陽電池構造。
【請求項８】
前記列電極中の最後の偶数列の一部分のフィンガー電極の長さが、前記列電極の最後の奇数列中の前記フィンガー電極の何れか1本のフィンガー電極の長さより短い、ことを特徴とする請求項１に記載の太陽電池構造。
【考案の詳細な説明】
【技術分野】
【０００１】
本考案は太陽電池に関し、特に太陽電池構造に関する。
【背景技術】
【０００２】
いろんなエネルギーの開発運用の中で、地球の保護を考えたクリーンエネルギー産業が日々盛んに発展しており、その中で、太陽エネルギーは、産業界・官庁・学術界においてかなり重視されているエネルギーになっている。ソーラー発電は太陽光エネルギーを電気エネルギーに変換するものである。太陽光を直接電力に変換するには太陽光発電を利用し、間接的に使用するには太陽光集光による熱を利用して発電することができ、その後、電力を電池に貯蔵する。現在の技術の中では、大抵p−n接合の半導体が、光エネルギーを受け入れた後、自由電子と正孔を生成し、p−n接合の半導体の接続面付近の内部電界の駆使の元で、自由電子をn型半導体に移動させ、正孔をp型半導体に移動させ、さらに電流を発生し、最後に、電極を通じて電流を引き出して使用又は貯蓄できる電気エネルギーにしていた。
【考案の概要】
【０００３】
本考案の目的は、電極の電流収集効果を高め、銀ペーストの使用量を低減させることができる太陽電池構造を提供することにある。
【０００４】
本考案の太陽電池構造は、基板、バスバー電極、フィンガー電極を含む。前記基板は、第1表面を有する。前記バスバー電極は、前記第1表面に設けられ、かつ、第1方向に沿って配置されている。前記フィンガー電極は、前記第1表面に設けられ、かつ、第2方向に沿って複数列電極になるように配置され、それぞれのフィンガー電極は、第一端と第二端を有し、かつ、当該列電極における奇数列中のフィンガー電極の第二端と偶数列中のフィンガー電極の第一端とが前記バスバー電極中の１つに接続され、かつ、前記列電極の奇数列中の前記フィンガー電極の第一端と偶数列中の前記フィンガー電極の第二端が幅Wを有する。ここで、それぞれの列電極中の第N個の奇数個目のフィンガー電極が第N個の偶数個目のフィンガー電極に接続され、かつ、Nは1以上の整数である。
【０００５】
本考案の太陽電池構造は、基板、バスバー電極、フィンガー電極を含む。前記基板は、第1表面を有する。前記バスバー電極は、前記第1表面に設けられ、かつ、第1方向に沿って配置されている。前記フィンガー電極は、前記第1表面に設けられ、かつ、第2方向に沿って複数列電極になるように配置され、それぞれのフィンガー電極は、第一端と第二端を有し、かつ、当該列電極における奇数列中のフィンガー電極の第二端と偶数列中のフィンガー電極の第一端とが前記バスバー電極中の１つに接続され、かつ、前記列電極の奇数列中の前記フィンガー電極の第一端と偶数列中の前記フィンガー電極の第二端が幅Wを有する。ここで、第１個の偶数列電極から、最後から第１個目の奇数列電極の中で、列電極中の第N個の奇数個目のフィンガー電極が第N個の偶数個目のフィンガー電極に接続され、かつ、Nは1以上の整数である。
【０００６】
本考案の前記目的、特徴及び優位点を更に明らかでわかり易くするため、以下において、好ましい実施形態を挙げ、かつ図面と合わせて、詳細に説明する。但し、以下の好ましい実施形態及び図示は参考用であり、決して本考案に対して制限を加えるものではない。
【図面の簡単な説明】
【０００７】
【図１】図１は本考案の好ましい実施例における太陽電池構造を示す。
【考案を実施するための形態】
【０００８】
図１は本考案の好ましい実施例における太陽電池構造を示す。図１に示すように、太陽電池構造100は基板102、バスバー電極104、フィンガー電極106を含む。
【０００９】
基板102は太陽電池構造の基底部であり、当業者であれば良く分かるように、基板102は、例えばp−n接合の半導体のn型半導体層あるいはp型半導体層であり、p−n接合の半導体は光エネルギーを電気エネルギーに変換する区域になる部分である。
【００１０】
複数のバスバー電極104は第1表面に設けられ、かつ、第1方向に沿って配置されている。バスバー電極104は他の基板102に電気的に接続し、かつ、バスバー電極104は例えば1個あるいは2個以上にすることが可能であり、その数は設計事項上の需要に応じて決められ、本実施例における1個に限られるものではない。ここで、バスバー電極104の幅Dは0.5ミリメートルから2ミリメートルの間であり、例えば1.5ミリメートルである。
【００１１】
複数のフィンガー電極106は第1表面に設けられ、かつ、第2方向に沿って複数の列電極108に配置されている。それぞれの列電極108には複数のフィンガー電極106が用いられ、それぞれのフィンガー電極106は第一端106aと第二端106bを有する。本考案において、奇数列の列電極108中のフィンガー電極106の第二端106bと偶数列の列電極108中のフィンガー電極106の第一端106aとが同じバスバー電極104に接続されている。言い換えると、第1列の列電極108中のフィンガー電極106の第二端106bと第2列の列電極108中のフィンガー電極106の第一端106aとが同じバスバー電極104に接続されており、以下のものもこのような形になっている。
【００１２】
本考案の好ましい実施例において、列電極108の奇数列中のフィンガー電極106の第一端106aと偶数列中のフィンガー電極106の第二端106bとの間に幅Wを有し、かつ、幅Wは0.05ミリメートルから2ミリメートルの間であり、例えば1ミリメートルである。
【００１３】
続いて図１を参照すると、列電極108中の第N個の奇数個目のフィンガー電極106が第N個の偶数個目のフィンガー電極106に接続され、ここで、Nは1以上の整数である。言い換えると、列電極108中の第１個目のフィンガー電極106が第2個目のフィンガー電極106に接続され、第3個目のフィンガー電極106が第4個目のフィンガー電極106に接続され、以下のものもこのような形になっている。
【００１４】
当業者であれば良く分かるように、電気回路の設計において、基板102の最左側の列電極108のフィンガー電極106の第一端106aと、最右側の列電極108のフィンガー電極106の第二端106bは、それぞれ全部接続するように設計してもよい。つまり、1本のケーブルで最左側の列電極108のフィンガー電極106の第一端106aを繋ぎ、もう一本のケーブルで最右側の列電極108のフィンガー電極106の第二端106bを繋ぐことができる。
【００１５】
本考案において、最左側の列電極108の一部分のフィンガー電極106の第一端106aの長さが、隣接する列電極108の一部分のフィンガー電極106の第二端106bの長さより短く設計することが可能である。同じく、最右側の列電極108の一部分のフィンガー電極106の第二端106bの長さが、隣接する列電極108の一部分のフィンガー電極106の第一端106aの長さより短く設計することが可能である。
【００１６】
本考案において、第1方向と第2方向が直交し、即ち、第1方向と第2方向のなす角度が約90度である。
【００１７】
本考案において、フィンガー電極106とバスバー電極104は、例えば、スクリーン印刷方式により基板102上に形成することができる。
【００１８】
以上に述べたように、本考案の太陽電池構造によれば、電極の電流収集効果を高め、銀ペーストの使用量を低減させることができる。
【００１９】
以上は、好ましい例であり、本考案を限定するものではない。本考案の精神と範囲から逸脱しない如何なる変更は、全て本考案の保護範囲内に含むべきである。
【符号の説明】
【００２０】
100:太陽電池構造
102:基板
104:バスバー電極
106:フィンガー電極
106a:第一端
106b:第二端
108:列電極
D:幅
W:幅
【図１】
0003194831.tif 000003